(57)【要約】      （修正有）【課題】本考案は、簡略な構成からなり、フルートをはじめとする管楽器内の水分除去のためのクリーニング作業を、単に当該管楽器自体を傾倒するだけの作業・動作で簡略容易に、かつ、短時間で確実に実行可能で、繰り返し利用可能な実用性に富んだ斬新な管楽器用のクリーニング具を提供する。【解決手段】本考案は、管楽器であるフルートの管内を清掃するための管楽器用のクリーニング具であって、前記フルートの管内を移動可能な円柱状の塊状体２と、この塊状体２の端面部に配置されるとともに前記塊状体２と同径又は大径で前記管の内面に摺接可能に形成した吸水性を有する円板状の接触部材３ａ、３ｂと、を有する構成とした。【選択図】図１
0003204546.tif 000002
【実用新案登録請求の範囲】
【請求項１】
管楽器の管内を清掃するための管楽器用のクリーニング具であって、
前記管楽器の管内を移動可能な円柱状の塊状体と、
この塊状体の端面部に配置されるとともに前記塊状体と同径又は大径で前記管の内面に摺接可能に形成した吸水性を有する円板状の接触部材と、
を有し、
前記接触部材を配置した塊状体を、前記管楽器の開口している管口から挿入し、前記管楽器を傾倒させることで前記塊状体を接触部材とともに前記管内を移動させ、前記接触部材により前記管内に付着した水分を除去するように構成したことを特徴とする管楽器用のクリーニング具。
【請求項２】
管楽器の管内を清掃するための管楽器用のクリーニング具であって、
前記管楽器の管内を移動可能な円柱状の塊状体と、
この塊状体の端面部に配置されるとともに前記塊状体と同径又は大径で前記管の内面に摺接可能に形成した吸水性を有する円板状の接触部材と、
を有し、
前記接触部材を配置した塊状体を、前記管楽器の開口している管口から挿入し、前記管楽器を傾倒させることで前記塊状体を接触部材とともに前記管内を移動させ、前記接触部材の外周部により前記管内の内周面に付着した水分を除去するとともに、前記接触部材の外端面により前記管内の一部に備えた反射板面に付着した水分を除去するように構成したことを特徴とする管楽器用のクリーニング具。
【請求項３】
管楽器の一種である各種フルートの管内を清掃するための管楽器用のクリーニング具であって、
前記フルートの管内を移動可能な円柱状の塊状体と、
この塊状体の端面部に配置されるとともに前記塊状体と同径又は大径で前記フルートを構成する管の内面に摺接可能に形成した吸水性を有する円板状の接触部材と、
を有し、
前記接触部材を配置した塊状体を、前記フルートの開口している管口から挿入し、前記フルートを傾倒させることで前記塊状体を接触部材とともに前記フルートの管内を移動させ、前記接触部材の外周部により前記フルートの管内の内周面に付着した水分を除去するとともに、前記接触部材の外端面により前記フルートの頭部管の管内の一部に備えた反射板面に付着した水分を除去するように構成したことを特徴とする管楽器用のクリーニング具。
【請求項４】
前記塊状体は、その外壁面部に長さ方向に沿って単数又は複数の溝部を具備し、この溝部の一部に前記管の内周面に摺接可能な接触部材を配置していることを特徴とする請求項１乃至３のいずれか１項に記載の管楽器用のクリーニング具。
【請求項５】
前記塊状体は、複数の突片が間隔隔てて中央から外方に放射状に突出する星形類似形状の断面形状を有し、各突片の間の各凹陥部の一部に前記管の内周面に摺接可能な接触部材を配置していることを特徴とする請求項１乃至３のいずれか１項に記載の管楽器用のクリーニング具。
【請求項６】
前記管楽器は、コンサートフルート又は子供Ｕ字管フルートから選定される管楽器であることを特徴とする請求項１乃至５のいずれか１項に記載の管楽器用のクリーニング具。
【請求項７】
管楽器の管内を清掃するための管楽器用のクリーニング具であって、
前記管楽器の管内を移動可能な塊状体を丸棒入り円筒体により構成し、この塊状体の端面部に当該塊状体と同径又は大径で管楽器の管の内面に摺接可能に形成した吸水性を有する円板状の接触部材を配置した管楽器用のクリーニング具とし、
前記接触部材を配置した塊状体を、前記管楽器の開口している管口から挿入し、前記管楽器を傾倒させることで前記塊状体を接触部材とともに前記管内を移動させ、前記接触部材により前記管内に付着した水分を除去するように構成したクリーニング具を、直管アルトフルート、Ｕ字管アルトフルート又はピッコロ用として用いるようにしたことを特徴とする管楽器用のクリーニング具。
【考案の詳細な説明】
【技術分野】
【０００１】
本考案は、フルート等の管楽器用のクリーニング具に関するものであり、詳しくは、簡略な構成からなり、フルートをはじめとする管楽器内の水分除去のためのクリーニング作業を、単に当該管楽器自体を傾倒するだけの作業・動作で簡略容易に、かつ、短時間で確実に実行可能で、繰り返し利用可能な実用性に富んだ斬新なクリーニング具に関するものである。
【背景技術】
【０００２】
従来、例えばフルート等の管楽器内部のクリーニングを行う用具として、図１０に一般的なフルート４１とともに概略的に示すようなクリーニング具３１が知られている。
【０００３】
すなわち、一般的なフルート４１は、図１０に示すように、歌口４２ａを設け内部に反射板４２ｂを内蔵した頭部管４２と、この頭部管４２に連結する胴部管４３と、更に胴部管４３に連結する足部管４４との連結構造とにより構成される。
【０００４】
そして、前記フルート４１に対して、直棒状のロッド３２の先端部に例えばガーゼ等からなる吸水性を有する拭き取り具３３を巻き付けたクリーニング具３１を用意し、このクリーニング具３１のロッド３２の先端部側を足部管４４の端部からフルート４１の内部に押し込んで、例えば頭部管４２内の反射板４２ｂに付着する奏者の呼気による水分を拭き取り具３３により拭き取ることで、当該水分を除去するようにしている。
【０００５】
更に具体的に説明すると、前記フルート４１の足部管４４の端部からロッド３２の先端部を挿入し、次に足部管４４を胴部管４３から外した状態でロッド３２を胴部管４３に押し込む。
【０００６】
次に、頭部管４２を胴部管４３から外すとともに、ロッド３２を胴部管４３から抜き取る。
【０００７】
そして、ロッド３２の先端部に設けた拭き取り具３３により頭部管４２の反射板４３ｂに達し付着している水分を拭き取る。
【０００８】
このような一連の手順により、前記フルート４１の内部の水滴などの水分を除去することができる。
【０００９】
この後、頭部管４２、胴部管４３、足部管４４を３連状態に組み付け直すことで、奏者が演奏可能なフルート４１の元の形態に戻す。
【００１０】
しかし、上述した従来のクリーニング具３１の場合、このクリーニング具３１によりフルート４１内のクリーニングを行う際に、前記頭部管４２、胴部管４３、足部管４４を所定の順序で分離したり、クリーニング終了後元の形態に組み付け直すことが必要できわめて煩雑で、時間もかかり、実演奏時の途中でかかるクリーニング作業を行うことは実際上大きな困難を伴う。
更に、上述した従来のクリーニング具３１の場合、頭部管４２内における反射板４２ｂの内周囲付近に付着している奏者の呼気による水分を拭き取り具３３により拭き取ることはできないという不都合もあった。
【００１１】
また、上述した従来のクリーニング具３１の場合、前記フルート４１の内部の反射板に付着した水分の除去を十分に行うことは難しく、最悪の場合、音穴に水の膜ができたり、また、水分を吸ったパッドが膨れたりして前記フルート４１が発音する音色の劣化を生じるような事態を招いてしまう。
【００１２】
特許文献１には、管楽器の管内を清掃するための管楽器用掃除具であって、支持棒が挿入される筒状の挿入部と、前記挿入部から外周方向に延設され、その先端が前記管内の内周面に接触する接触部とを有する布状の清掃布からなり、前記清掃布の前記挿入部長手方向先端部には、前記接触部と略直角な前記管内の端部を清掃する清掃端を有する構成とした管楽器用掃除具が開示されている。
【００１３】
しかし、この特許文献１の管楽器用掃除具の場合、支持棒が挿入される筒状の挿入部と、前記挿入部から外周方向に延設され、その先端が前記管内の内周面に接触する接触部とを有するとともに、その先端部に管内の端部を清掃する清掃端を設けた布状の清掃布とを備える長さ寸法が大きく複雑な構成であり、かつ、奏者による支持棒の操作を必須とする煩雑なものである。
【先行技術文献】
【特許文献】
【００１４】
【特許文献１】登録実用新案第３１５８４５７号公報
【考案の概要】
【考案が解決しようとする課題】
【００１５】
本考案は、上記従来の事情に鑑みて開発されたものであり、簡略な構成からなり、フルート等の管楽器内の水分除去のためのクリーニング作業を管楽器自体を傾倒するだけの作業・動作で簡略容易に、かつ、短時間で確実に実行可能でき、繰り返し利用可能な実用性に富んだ斬新なクリーニング具を提供することを目的とする。
【課題を解決するための手段】
【００１６】
本考案は、管楽器の管内を清掃するための管楽器用のクリーニング具であって、前記管楽器の管内を移動可能な円柱状の塊状体と、この塊状体の端面部に配置されるとともに前記塊状体と同径又は大径で前記管の内面に摺接可能に形成した吸水性を有する円板状の接触部材と、を有し、前記接触部材を配置した塊状体を、前記管楽器の開口している管口から挿入し、前記管楽器を傾倒させることで前記塊状体を接触部材とともに前記管内を移動させ、前記接触部材により前記管内に付着した水分を除去するように構成したことを主要な特徴とする。
【考案の効果】
【００１７】
請求項１記載の考案によれば、簡略な構成からなり、フルート等の管楽器内の水分除去のためのクリーニング作業を管楽器自体を傾倒するだけの作業・動作で簡略容易に、かつ、短時間で確実に実行可能で、繰り返し利用可能な実用性に富んだ斬新な管楽器用のクリーニング具を実現し提供することができる。
【００１８】
請求項２記載の考案によれば、管楽器の管内を移動可能な円柱状の塊状体と、この塊状体の端面部に配置されるとともに前記塊状体と同径又は大径で前記管の内面に摺接可能に形成した吸水性を有する円板状の接触部材と、を有する構成の基に、このクリーニング具を管口から挿入し、管楽器自体を傾倒するだけの作業・動作によって、前記接触部材の外周部により前記管内の内周面に付着した水分を除去し、また、前記接触部材の外端面により前記管内の一部に備えた反射板面に付着した水分を除去することを短時間で確実に実行でき、繰り返し利用可能な実用性に富んだ斬新な管楽器用のクリーニング具を実現し提供することができる。
【００１９】
請求項３記載の考案によれば、管楽器の一種であるフルートの管内を移動可能な円柱状の塊状体と、この塊状体の端面部に配置されるとともに前記塊状体と同径又は大径で前記フルートを構成する管の内面に摺接可能に形成した吸水性を有する円板状の接触部材と、を有する構成の基に、このクリーニング具を管口から挿入し、フルート自体を傾倒するだけの作業・動作によって、前記接触部材の外周部により前記管内の内周面に付着した水分を除去し、また、前記接触部材の外端面により頭部管内に備えた反射板面に付着した水分を除去することを短時間で確実に実行でき、繰り返し利用可能な実用性に富んだ斬新な管楽器用のクリーニング具を実現し提供することができる。
【００２０】
請求項４記載の考案によれば、前記請求項１乃至３のいずれか１項に記載の考案において、前記塊状体は、その外壁面部に長さ方向に沿って単数又は複数の溝部を具備し、この溝部の一部に前記管の内周面に摺接可能な接触部材を配置している構成としているので、前記溝部に管内の空気が流通することから、請求項１乃至３のいずれか１項に記載の考案の効果を奏するとともに、クリーニング具自体の管内の移動をより円滑に行うことができる実用性に富んだ斬新な管楽器用のクリーニング具を実現し提供することができる。
【００２１】
請求項５記載の考案によれば、前記請求項１乃至３のいずれか１項に記載の考案において、前記塊状体は、複数の突片が間隔隔てて中央から外方に放射状に突出する星形類似形状の断面形状を有し、各突片の間の各凹陥部の一部に前記管の内周面に摺接可能な接触部材を配置している構成としているので、請求項４記載の考案の場合と同様、前記溝部に管内の空気が流通することから、請求項１乃至３のいずれかに記載の考案の効果を奏するとともに、クリーニング具自体の管内の移動をより円滑に行うことができる実用性に富んだ斬新な管楽器用のクリーニング具を実現し提供することができる。
【００２２】
請求項６記載の考案によれば、前記請求項１乃至５のいずれか１項に記載の考案において、前記管楽器は、コンサートフルート又は子供Ｕ字管フルートとしているので、これらのクリーニングに用いて好適な管楽器用のクリーニング具を実現し提供することができる。
【００２３】
請求項７記載の考案によれば、塊状体を丸棒入り円筒体により構成し、この塊状体の端面部に前記塊状体と同径又は大径で管の内面に摺接可能に形成した吸水性を有する円板状の接触部材を配置した管楽器用のクリーニング具とし、このクリーニング具を直管アルトフルート、Ｕ字管アルトフルート又はピッコロ用としているので、丸棒入り円筒体の重量を利用してクリーニング具自体をこれらの管楽器の管内を円滑に移動させつつクリーニング作業を実行できる管楽器用のクリーニング具を実現し提供することができる。
【図面の簡単な説明】
【００２４】
【図１】図１は本考案の実施例に係る管楽器用のクリーニング具を示す概略斜視図である。
【図２】図２は本実施例に係る管楽器の一種である例えばコンサート用のフルートを示す概略正面図である。
【図３】図３は本実施例に係るクリーニング具による例えばコンサート用のフルートの管内のクリーニング方法を概略的に示す説明図である。
【図４】図４は本実施例に係るクリーニング具による上述したフルートの頭部管内の反射板端面のクリーニング状態を示す概略断面図である。
【図５】図５は本実施例に係る管楽器の一種であるフルートの他例であるＵ字管フルートを示す概略正面図である。
【図６】図６は本実施例に係るクリーニング具によるＵ字管フルートの管内のクリーニング方法を概略的に示す説明図である。
【図７】図７は本実施例に係るクリーニング具の管楽器の種類に応じた各種具体的構成例を示す概略正面図である。
【図８】図８は本実施例に係るクリーニング具の変形例のクリーニング具の概略斜視図である。
【図９】図９は本実施例に係るクリーニング具の別の変形例のクリーニング具の概略斜視図である。
【図１０】図１０は従来のクリーニング具及びフルートを示す概略正面図である。
【考案を実施するための形態】
【００２５】
本考案は、簡略な構成からなり、フルート等の管楽器内の水分除去のためのクリーニング作業を管楽器自体を傾倒するだけの作業・動作で簡略容易に、かつ、短時間で確実に実行可能で繰り返し利用可能な実用性に富んだ斬新なクリーニング具を提供するという目的を、管楽器の管内を清掃するための管楽器用のクリーニング具であって、前記管楽器の管内を移動可能な円柱状の塊状体と、この塊状体の端面部に配置されるとともに前記塊状体と同径又は大径で前記管の内面に摺接可能に形成した吸水性を有する円板状の接触部材と、を有し、前記接触部材を配置した塊状体を、前記管楽器の開口している管口から挿入し、前記管楽器を傾倒させることで前記塊状体を接触部材とともに前記管内を移動させ、前記接触部材の外周部により前記管内の内周面に付着した水分を除去するとともに、前記接触部材の外端面により前記管内の一部に備えた反射板面に付着した水分を除去する構成により実現した。
【実施例】
【００２６】
以下、図面を参照して、本考案の実施例に係る管楽器用のクリーニング具について説明する。
【００２７】
本実施例に係る管楽器用のクリーニング具１は、図１に示すように、例えばアクリル樹脂材（アクリル透明樹脂材）により、コンサートフルート等のような管楽器の一種であるフルート２１の管内を移動可能な円柱状に形成した塊状体２と、この塊状体２の両側の端面部に各々円形の面ファスナ５を用いて固着した吸水性を有する例えばフェルト材等からなる円板状の形態の接触部材３ａ、３ｂと、を有している。
【００２８】
前記塊状体２の寸法例としては、例えば長さ４０ｍｍ、直径１６ｍｍの例を挙げることができる。
なお、本考案においては、前記塊状体２と、この塊状体２の両側の端面部に配置する接触部材３ａ、３ｂは、その長さ、直径を実施例のものに限定するものではなく、フルート等の管楽器の種類に応じて自在にその長さ、直径を決めて形成しも良い。また、前記塊状体２についても実施例のものに限定するものではなく、アクリル樹脂材（アクリル透明樹脂材）以外の材質のものを用いて形成しても良い。
【００２９】
前記接触部材３ａ、３ｂの寸法例としては、前記クリーニング具１をコンサートフルート用のフルート２１として用いる場合において、このフルート２１の管の内径が通常１８ｍｍであることを考慮し、更に、フルート２１内に配置している反射板２４を考慮して、挿入先端側の接触部材３ａは厚さ３ｍｍ、直径１６ｍｍ、後端側の接触部材３ｂは厚さ２ｍｍ、直径１８ｍｍとする例を挙げることができる。
【００３０】
すなわち、本実施例に係る管楽器用のクリーニング具１は、フルート２１の管内に挿入しこのフルート２１を後述するにように傾倒することで、前記接触部材３ａ、接触部材３ｂの外周部をフルート２１の管内の内周面に摺接させてその内周面に付着している奏者の呼気に伴う水滴等の水分を吸水して除去し、また、前記挿入先端側の接触部材３ａの端面をフルート２１内に配置している反射板（反響板）に当接させてその端面に付着している奏者の呼気に伴う水滴等の水分を吸水して除去するように構成している。
【００３１】
前記フルート２１は、図２に示し、また、公知のように、奏者用の歌口２３を設け、内部に発音のための反射板２４を内蔵した円管状の頭部管２２と、この頭部管２２に連結する円管状の胴部管２５と、更に、胴部管２５に連結する円管状の足部管２６との三要素の直列連結構造からなり、これら三要素を隣り合うもの同士分離可能に構成している。
【００３２】
また、前記胴部管２５には、奏者が演奏時に使用するキーシステム２７を配置している。
【００３３】
前記キーシステム２７は、従来公知のように奏者が演奏時に指操作する多数のキー２７ａ、前記胴部管２５に設けた複数のトーンホール（図２には図示せず）を開き、また閉塞するパッド（図２には図示せず）、前記キーとパッドとを連動させるリンク機構等を具備している。
【００３４】
次に、図３を参照して、本実施例に係るクリーニング具１によるフルート２１の管内のクリーニング方法について説明する。
【００３５】
前記接触部材３ａ、３ｂを配置したクリーニング具１を、接触部材３ａ側から前記フルート２１の足部管２６の開口している管口２６ａから挿入し、この状態で前記フルート２１自体を前記頭部管２２側が下方になるように傾倒する。
【００３６】
これにより、前記フルート２１内のクリーニング具１は、足部管２６、胴部管２５、頭部管２２の各管内を順に速やかに移動し、図４に示すように、前記先端側の接触部材３ａが頭部管２２内の反射板２４の端面に到達する。
【００３７】
この結果、前記接触部材３ａ、３ｂの外周部により前記各管内の内周面に付着した奏者の呼気に伴う水滴等の水分を吸水し除去することができる。
【００３８】
また、前記頭部管２２内の反射板２４の端面に到達した先端側の接触部材３ａの端面により、反射板２４の端面に付着した奏者の呼気に伴う水滴等の水分を吸水し除去することができる。
【００３９】
このようにして、本実施例のクリーニング具１によれば、前記フルート２１の各管内の水分除去のためのクリーニング作業を、フルート２１自体を分解することなく、前記クリーニング具１を足部管２６の管口２６ａから挿入し頭部管２２が下になるように傾倒するだけのきわめて簡略な作業・動作で、前記接触部材３ａ又は接触部材３ｂにより足部管２６、胴部管２５、頭部管２２の各内周面の水分除去や反射板２４の端面の水分除去を行うことができる。
【００４０】
また、クリーニング終了後においては、図３に示すように前記フルート２１自体を上述した場合は逆に足部管２６が下になるように傾倒することで、前記クリーニング具１を足部管２６の管口から取り出すことができる。
【００４１】
そして、取り出したクリーニング具１における水分を吸水している接触部材３ａや接触部材３ｂを、例えばテッシュペーパ、乾燥布等の吸水性を有する部材に当接させて吸水させた後、直ちに再び前記クリーニング具１を何回でも繰り返し利用することができる。
【００４２】
次に、図５、図６を参照して管楽器の一種である主として幼児用のＵ字管フルート２１Ａ及び本実施例のクリーニング具１により前記Ｕ字管フルート２１Ａのクリーニングを行う作業について説明する。
【００４３】
なお、図５において図２に示す前記フルート２１の場合と同一の要素には同一の符号を付して示す。
【００４４】
前記幼児用のＵ字管フルート２１Ａは、基本的には前記フルート２１と同様な構成であるが、公知のように頭部管２２ＡをＵ字状に構成したものである。このＵ字管フルート２１Ａは、接合部２２Ｂ、接合部２２Ｃをもって、２つの部分のストレートの管部分と、Ｕ字状の管部分とに分離することができる。
【００４５】
このような構造のＵ字管フルート２１Ａの内部を、クリーニングする際には、上記のように夫々の部分に分離した後、前記従来のクリーニング具３１のような用具をもって、分離した夫々の部分をクリーニングし、その後、各部分を接合することになるが、このような作業は幼児にとっては困難なことであった。
【００４６】
本実施例のクリーニング具１により前記Ｕ字管フルート２１Ａのクリーニングを行う作業も既述した場合と略同様である。なお、Ｕ字管フルート２１Ａ用のクリーニング具１としては、後記図７第２欄に示すように塊状体２の長さを短く形成して実施すると、クリーニングの際、管内における塊状体２の動きが一層円滑となり好都合である。
【００４７】
すなわち、前記接触部材３ａ、３ｂを配置したクリーニング具１を、接触部材３ａ側から前記Ｕ字管フルート２１Ａの足部管２６の開口している管口２６ａから挿入し、この状態で前記Ｕ字管フルート２１Ａ自体を前記頭部管２２側が下方になるように傾倒する。
【００４８】
更に、図示していないが前記Ｕ字管フルート２１Ａを前記頭部管２２の傾斜角度を変更するように操作し前記先端側の接触部材３ａが頭部管２２内の反射板２４の端面に到達させる。
【００４９】
これにより、前記Ｕ字管フルート２１Ａ内のクリーニング具１は、足部管２６、胴部管２５、頭部管２２の各管内を順に速やかに移動し、更には前記先端側の接触部材３ａが頭部管２２内の反射板２４の端面に到達して、前記接触部材３ａ、３ｂの外周部により前記各管内の内周面に付着した奏者の呼気に伴う水滴等の水分を吸水し除去することができ、更には、反射板２４の端面に付着した奏者の呼気に伴う水滴等の水分を吸水し除去することができる。
【００５０】
また、クリーニング終了後においては、図６に示すように、前記Ｕ字管フルート２１Ａ自体を上述した場合とは逆に足部管２６が下になるように傾倒することで、前記クリーニング具１を足部管２６の管口から取り出すことができる。
【００５１】
そして、既述した場合と同様、取り出したクリーニング具１における水分を吸水している接触部材３ａや接触部材３ｂを、例えばテッシュペーパ、乾燥布等の吸水性を有する部材に当接させて吸水させた後、直ちに再び前記クリーニング具１を何回でも繰り返し利用することができる。
【００５２】
図７は、本実施例に係るクリーニング具１及び管楽器の種類に応じた各種クリーニング具１Ａ乃至１Ｄの具体的構成例を示すものである。
【００５３】
前記クリーニング具１の場合には、図７第１欄に示すように、塊状体２の寸法例として、例えば長さ４０ｍｍ、直径（φ）１６ｍｍ、挿入先端側の接触部材３ａは厚さ３ｍｍ、直径（φ）１６ｍｍ、後端側の接触部３ｂは厚さ２ｍｍ、直径１８ｍｍとする例を挙げることができる。
【００５４】
子供Ｕ字管フルート用のクリーニング具１Ａの場合には、図７第２欄に示すように、塊状体２Ａの寸法例として、例えば長さ１５ｍｍ、直径１６ｍｍ、挿入先端側の接触部材３ａは厚さ３ｍｍ、直径１６ｍｍ、後端側の接触部３ｂは厚さ３ｍｍ、直径１６ｍｍとする例を挙げることができる。
【００５５】
直管アルトフルート用のクリーニング具１Ｂの場合には、図７第３欄に示すように、塊状体２Ｂを直径１５ｍｍのアクリル丸棒６入りアクリル円筒体１０により構成し、塊状体２Ｂの寸法例として、例えば長さ４０ｍｍ、直径２０ｍｍとし、挿入先端側の接触部材３ａは厚さ３ｍｍ、直径２１ｍｍ、後端側の接触部材３ｂは厚さ３ｍｍ、直径２４ｍｍとする例を挙げることができる。
【００５６】
Ｕ字管アルトフルート用のクリーニング具１Ｃの場合、図７第４欄に示すように、塊状体２Ｃを直径１５ｍｍのアクリル丸棒６入りアクリル円筒体１０により構成し、塊状体２Ｃの寸法例として、例えば長さ２０ｍｍ、直径２１ｍｍとし、挿入先端側の接触部材３ａは厚さ３ｍｍ、直径２１ｍｍ、後端側の接触部材３ｂは厚さ３ｍｍ、直径２１ｍｍとする例を挙げることができる。
【００５７】
ピッコロ用のクリーニング具１Ｄの場合には、図７第５欄に示すように、塊状体２Ｄを直径４ｍｍの真鍮製の棒６入りアクリル円筒体１０により構成し、塊状体２Ｄの寸法例として、例えば長さ５０ｍｍ、直径６ｍｍとし、挿入先端側の接触部材３ａは厚さ３ｍｍ、直径７ｍｍ、後端側の接触部材３ｂは厚さ３ｍｍ、直径７ｍｍとする例を挙げることができる。
【００５８】
このように、管楽器の種類に応じて各部の寸法が異なるクリーニング具１、クリーニング具１Ａ乃至１Ｄを構成することにより、管楽器の種類に応じた管寸法の相違に対応しつつ各管楽器の管内のクリーニングを的確に行うことができる。
【００５９】
特に、直管アルトフルート用のクリーニング具１Ｂ、Ｕ字管アルトフルート用のクリーニング具１Ｃ、ピッコロ用のクリーニング具１Ｄの場合には、アクリル丸棒６入りアクリル円筒体４による塊状体２Ｃ乃至２Ｄを採用しているので、アクリル丸棒６の重量を利用してクリーニング具１Ｂ乃至１Ｄをこれら各管楽器内を各々円滑に移動させつつクリーニング作業を的確に実行することができる。
【００６０】
図８は本実施例に係るクリーニング具１の変形例のクリーニング具１Ｅを示すものであり、このクリーニング具１Ｅは、基本的構成は前記クリーニング具１の場合と略同様であるが、例えばアクリル樹脂材からなる略円柱状の塊状体２Ｅの外壁面部に長さ方向に沿って単数又は複数の溝部７を設け、この溝部７の一部に前記管の内周面に摺接可能な接触部材３ｃを嵌着して配置したことが特徴である。
【００６１】
変形例のクリーニング具１Ｅよれば、既述したクリーニング具１の場合と同様な効果を奏するとともに、クリーニング作業時におけるフルート２１等の管内移動時に、前記溝部７に管内の空気が流通することから、クリーニング具１Ｅ自体の管内の移動をより円滑に行うことができる利点がある。
【００６２】
図９は本実施例に係るクリーニング具１の更に別の変形例のクリーニング具１Ｆを示すものであり、このクリーニング具１Ｆは、基本的構成は前記クリーニング具１の場合と略同様であるが、例えばアクリル樹脂材からなる略円柱状の塊状体２Ｆを、長さ方向に沿って複数（例えば４個）の突片８が間隔を隔てて中央から外方に放射状に突出する星形類似形状の断面形状を有する形態とし、各突片８の間の各凹陥部９の一部に前記管の内周面に摺接可能な接触部材３ｄを嵌着して配置したことが特徴である。
【００６３】
別の変形例のクリーニング具１Ｅよれば、既述したクリーニング具１の場合と同様な効果を奏するとともに、クリーニング作業時におけるフルート２１等の管内移動時に、前記凹陥部９に管内の空気が流通することから、クリーニング具１Ｆ自体の管内の移動をより円滑に行うことができる利点がある。
【産業上の利用可能性】
【００６４】
本考案のクリーニング具は、上述したフルート、ピッコロのような各管楽器の他、フルートに属する各種楽器の管内クリーニング用として広範に応用可能である。
【符号の説明】
【００６５】
１    クリーニング具
１Ａ  クリーニング具
１Ｂ  クリーニング具
１Ｃ  クリーニング具
１Ｄ  クリーニング具
１Ｅ  クリーニング具
１Ｆ  クリーニング具
２    塊状体
２Ａ  塊状体
２Ｂ  塊状体
２Ｃ  塊状体
２Ｄ  塊状体
２Ｅ  塊状体
２Ｆ  塊状体
３ａ  接触部材
３ｂ  接触部材
３ｂ  接触部材
３ｃ  接触部材
３ｄ  接触部材
４    アクリル円筒体
５    面ファスナ
６    アクリル丸棒
７    溝部
８    突片
９    凹陥部
１０    アクリル円筒体
２１    フルート
２１Ａ  Ｕ字管フルート
２２    頭部管
２２Ａ  頭部管
２２Ｂ  接合部
２２Ｃ  接合部
２３    歌口
２４    反射板
２５    胴部管
２５ａ  トーンホール
２６    足部管
２６ａ  管口
２７    キーシステム
２７ａ  キー
２８    パッド
【図１】
0003204546.tif 000003
【図２】
0003204546.tif 000004
【図３】
0003204546.tif 000005
【図４】
0003204546.tif 000006
【図５】
0003204546.tif 000007
【図６】
0003204546.tif 000008
【図７】
0003204546.tif 000009
【図８】
0003204546.tif 000010
【図９】
0003204546.tif 000011
【図１０】
0003204546.tif 000012
【手続補正書】
【提出日】平成28年4月8日(2016.4.8)
【手続補正１】
【補正対象書類名】明細書
【補正対象項目名】００２２
【補正方法】変更
【補正の内容】
【００２２】
請求項６記載の考案によれば、前記請求項１乃至５のいずれか１項に記載の考案において、前記管楽器は、コンサートフルート又は子供用Ｕ字管フルートとしているので、これらのクリーニングに用いて好適な管楽器用のクリーニング具を実現し提供することができる。
【手続補正２】
【補正対象書類名】明細書
【補正対象項目名】００２８
【補正方法】変更
【補正の内容】
【００２８】
前記塊状体２の寸法例としては、例えば長さ４０ｍｍ、直径１６ｍｍの例を挙げることができる。
なお、本考案においては、前記塊状体２と、この塊状体２の両側の端面部に配置する接触部材３ａ、３ｂは、その長さ、直径を実施例のものに限定するものではなく、フルート等の管楽器の種類に応じて自在にその長さ、直径を決めて形成しても良い。また、前記塊状体２についても実施例のものに限定するものではなく、アクリル樹脂材（アクリル透明樹脂材）以外の材質のものを用いて形成しても良い。
【手続補正３】
【補正対象書類名】明細書
【補正対象項目名】００４２
【補正方法】変更
【補正の内容】
【００４２】
次に、図５、図６を参照して管楽器の一種である主として子供用Ｕ字管フルート２１Ａ及び本実施例のクリーニング具１により前記Ｕ字管フルート２１Ａのクリーニングを行う作業について説明する。
【手続補正４】
【補正対象書類名】明細書
【補正対象項目名】００４４
【補正方法】変更
【補正の内容】
【００４４】
前記子供用Ｕ字管フルート２１Ａは、基本的には前記フルート２１と同様な構成であるが、公知のように頭部管２２ＡをＵ字状に構成したものである。このＵ字管フルート２１Ａは、接合部２２Ｂ、接合部２２Ｃをもって、２つの部分のストレートの管部分と、Ｕ字状の管部分とに分離することができる。
【手続補正５】
【補正対象書類名】明細書
【補正対象項目名】００４５
【補正方法】変更
【補正の内容】
【００４５】
このような構造のＵ字管フルート２１Ａの内部を、クリーニングする際には、上記のように夫々の部分に分離した後、前記従来のクリーニング具３１のような用具をもって、分離した夫々の部分をクリーニングし、その後、各部分を接合することになるが、このような作業は子供にとっては困難なことであった。
【手続補正６】
【補正対象書類名】明細書
【補正対象項目名】００５４
【補正方法】変更
【補正の内容】
【００５４】
子供用Ｕ字管フルート用のクリーニング具１Ａの場合には、図７第２欄に示すように、塊状体２Ａの寸法例として、例えば長さ１５ｍｍ、直径１６ｍｍ、挿入先端側の接触部材３ａは厚さ３ｍｍ、直径１６ｍｍ、後端側の接触部３ｂは厚さ３ｍｍ、直径１６ｍｍとする例を挙げることができる。
【手続補正７】
【補正対象書類名】実用新案登録請求の範囲
【補正対象項目名】請求項６
【補正方法】変更
【補正の内容】
【請求項６】
前記管楽器は、コンサートフルート又は子供用Ｕ字管フルートから選定される管楽器であることを特徴とする請求項１乃至５のいずれか１項に記載の管楽器用のクリーニング具。